(57)【特許請求の範囲】
【請求項１】
放送信号を受信してトランスポートストリームを出力する受信部と、
前記受信部から前記トランスポートストリームを複数のＴＳパケットとして受け、一つのＴＳパケット中にＰＥＳヘッダが存在するか否かを判断する第１解析部と、
前記第１解析部が前記ＰＥＳヘッダを検出すると、前記ＰＥＳヘッダに異常がないかどうかを判断する第２解析部と、
前記第２解析部が前記ＰＥＳヘッダに異常があると判断すると、前記ＴＳパケットを後方から順番に探索してペイロードのスタート位置を検出する探索部と、
前記探索部が検出した前記ペイロードのスタート位置から以降の前記ペイロードを分離する分離部と、
前記分離部により分離されたＴＳパケットの前記ペイロードをデコードして映像信号と音声信号を出力するデコード部を具備することを特徴とする放送受信装置。
【請求項２】
前記第２解析部は、前記ＴＳパケットが誤りフラグを含んでいる場合、前記ＰＥＳヘッダに異常があると判断することを特徴とする請求項１記載の放送受信装置。
【請求項３】
前記探索部は、前記ペイロードの先頭に設けられたスタートコードを探索することで、前記ペイロードのスタート位置を決定することを特徴とする請求項１記載の放送受信装置。
【請求項４】
前記分離部は、前記ＰＥＳヘッダに記録されているＰＥＳヘッダ長が示すＰＥＳヘッダ終了位置が前記ペイロードの先頭に設けられたスタートコード位置よりも後方の際、前記ペイロードのスタート位置以降の前記ペイロードを分離することを特徴とする請求項１記載の放送受信装置。
【請求項５】
前記分離部は、前記ＰＥＳヘッダを含むＴＳパケットの最後のペイロードが跨って存在する次のＴＳパケットに関し、このＴＳパケットがもつ誤フラグがオンであり、それ以降のＴＳパケットの誤フラグもオンである場合、前記次のＴＳパケットの第２のペイロード以降を分離することを特徴とする請求項１記載の放送受信装置。
【請求項６】
前記ＰＥＳヘッダを含むＴＳパケットの最後のペイロードが跨って存在する次のＴＳパケットに関し、このＴＳパケットがもつ誤フラグがオンであり、それ以降のＴＳパケットの誤フラグもオンである場合、エラー情報を後段のデコーダに供給する制御部を更に有することを特徴とする請求項１記載の放送受信装置。
【請求項７】
複数のＴＳパケットからなるトランスポートストリームを受け、各ＴＳパケット中にＰＥＳヘッダが存在するか否かを判断する第１解析部と、
前記第１解析部が前記ＰＥＳヘッダを検出すると、前記ＰＥＳヘッダに異常がないかどうかを判断する第２解析部と、
前記第２解析部が前記ＰＥＳヘッダに異常があると判断すると、前記ＴＳパケットを後方から順番に探索してペイロードのスタート位置を検出する探索部と、
前記探索部が検出した前記ペイロードのスタート位置から以降の前記ペイロードを分離する分離部と、
前記分離部により分離されたＴＳパケットの前記ペイロードをデコードして映像信号と音声信号を出力するデコード部を具備することを特徴とするＴＳパケット再生装置。
【請求項８】
放送信号を受信してトランスポートストリームを出力し、
前記トランスポートストリームを複数のＴＳパケットとして受け、各ＴＳパケット中にＰＥＳヘッダが存在するか否かを判断し、
前記ＰＥＳヘッダを検出すると、前記ＰＥＳヘッダに異常がないかどうかを判断し、
前記ＰＥＳヘッダに異常があると判断すると、前記ＴＳパケットを後方から順番に探索してペイロードのスタート位置を検出し、
前記検出したペイロードに関し、前記スタート位置以降の前記ペイロードを分離し、
前記分離されたペイロードをデコードして映像信号と音声信号を出力することを具備することを特徴とする放送受信方法。
【請求項９】
前記ＴＳパケットが誤りフラグを含んでいる場合、前記ＰＥＳヘッダに異常があると判断することを特徴とする請求項８記載の放送受信方法。
【請求項１０】
コンピュータのＣＰＵで処理されることにより以下のような機能を実現するコンピュータ用のプログラムであり、
放送信号を受信してトランスポートストリームを出力し、
前記トランスポートストリームを複数のＴＳパケットとして受け、各ＴＳパケット中にＰＥＳヘッダが存在するか否かを判断し、
前記ＰＥＳヘッダを検出すると、前記ＰＥＳヘッダに異常がないかどうかを判断し、
前記ＰＥＳヘッダに異常があると判断すると、前記ＴＳパケットを後方から順番に探索してペイロードのスタート位置を検出し、
前記検出したペイロードに関し、前記スタート位置以降の前記ペイロードを分離し、
前記分離されたペイロードをデコードして映像信号と音声信号を出力することを特徴とするコンピュータ用のプログラム。
【発明の詳細な説明】
【技術分野】
【０００１】
この発明は、ワンセグ放送等のトランスポートストリームの放送受信装置、ＴＳパケット再生装置、放送受信方法及びプログラムに関する。
【背景技術】
【０００２】
最近、例えば携帯電話等で気軽に視聴ができる地上波デジタル放送としてワンセグメント放送信号が普及してきている。この通称、ワンセグといわれる放送信号は、チューナで放送信号が復調されてトランスポートストリームとなって、ＴＳ（Transport Stream）パケット再生部にて再生される。
【０００３】
このようなＴＳパケットは、転送中など、信号に不具合が発生する場合がある。このような場合は、ＴＳパケット中の誤りフラグがオンとなることで、ＴＳパケット再生部はこの不具合を知ることができる。
【０００４】
特許文献１は、パケット再生部が一つのＴＳパケット中にてデータ誤りを検出すると、そのＴＳパケットはエラーを含んでいるとして破棄し、その後、データ誤りがないＴＳパケットを受けると、再生を再開するという技術を開示している。
【特許文献１】特開平８−１８１９８３号公報
【発明の開示】
【発明が解決しようとする課題】
【０００５】
しかし、特許文献１の従来技術では、ＴＳパケットの一部だけにエラーがあり、残りのデータは正常である場合でも、ＴＳパケット全体を破棄してしまうため、その後のＴＳパケットに含まれるペイロードの再生のタイミングも分からなくなってしまう。その結果、放送時間として、数秒から５秒くらいの間、映像が再生できない場合があるという問題がある。
【０００６】
本発明は、エラーの影響を最小限に抑え安定した映像再生を可能とする放送受信装置、ＴＳパケット再生装置、放送受信方法及びプログラムを提供することを目的とする。
【課題を解決するための手段】
【０００７】
課題を解決するための一実施形態は、
放送信号を受信してトランスポートストリームを出力する受信部（２３２）と、
前記受信部から前記トランスポートストリームを複数のＴＳパケットとして受け、一つのＴＳパケット中にＰＥＳヘッダが存在するか否かを判断する第１解析部（１）と、
前記第１解析部が前記ＰＥＳヘッダを検出すると、前記ＰＥＳヘッダに異常がないかどうかを判断する第２解析部（２）と、
前記第２解析部が前記ＰＥＳヘッダに異常があると判断すると、前記ＴＳパケットを後方から順番に探索してペイロードのスタート位置を検出する探索部（７）と、
前記探索部が検出した前記ペイロードのスタート位置から以降の前記ペイロードを分離する分離部（３）と、
前記分離部により分離されたＴＳパケットの前記ペイロードをデコードして映像信号と音声信号を出力するデコード部（６）を具備することを特徴とする放送受信装置である。
【発明の効果】
【０００８】
ＰＥＳヘッダに異常があった場合でも、ＴＳパケットの後方からスタート位置を探索し、それ以降のペイロードを分離して再生に供するため、以降のＴＳパケットのペイロードの再生タイミングを確保できるので、見かけ上、映像の再生が中断することが少ない。
【発明を実施するための最良の形態】
【０００９】
以下、この発明の実施の形態について図面を参照して詳細に説明する。  
図１は、本発明の一実施形態に係るＴＳパケット再生部の構成の一例を示すブロック図である。
【００１０】
＜本発明の一実施形態に係るＴＳパケット再生装置の構成等の一例＞
（構成）
本発明の一実施形態に係るＴＳパケット再生装置１１は、図１に示すように、トランスポートストリームが供給されＴＳヘッダを検出するＴＳヘッダ解析部１と、トランスポートストリームからＰＥＳ（Packetized Elementary Stream）ヘッダを検出するＰＥＳヘッダ解析部２と、ＰＥＳヘッダが誤りを含む可能性がある場合に誤りを検出してＴＳパケットのペイロードの先頭情報であるＳＣ（Start Code）をＴＳパケットの末尾から探索するＴＳパケット逆探索部７と、ペイロードをＴＳパケットから分離するビデオペイロード分離部３を有する。更に、ＴＳパケット再生装置１１は、オーディオビデオデコーダ部６に転送すべきビデオペイロードを記憶するビデオペイロード記憶部４と、音声ペイロードを適宜処理するオーディオ処理部５と、音声ペイロード及び映像ペイロードをデコードして再生可能な音声信号及び映像信号に変換するオーディオビデオデコーダ部６を有している。
【００１１】
ＴＳパケット再生装置１１は、一例として、後述するように放送受信装置等の内部に設けられるもので、チューナからのトランスポートストリームを再生して、視聴可能な映像信号及び音声信号を出力するものである。
【００１２】
（ＴＳパケットの構造）
次に、本発明の一実施形態に係るＴＳパケット再生装置１１が扱うＴＳパケットの構造について、図２乃至図４を用いて説明する。図２は、本発明の一実施形態に係るＴＳパケット再生部が扱うトランスポートストリームの一例を示す説明図、図３は、同じくトランスポートストリームのトランスポートヘッダの一例を示す説明図、図４は、同じくトランスポートストリームのＰＥＳの一例を示す説明図である。
【００１３】
ＭＰＥＧ-２ SystemsのＴＳパケット２０と映像ＰＥＳ及び音声ＰＥＳの関係を、図２に示す。ＭＰＥＧ-２ SystemsのＴＳパケット２０は、１パケット１８８byteのパケット列から構成され、パケットはヘッダ部分２２とペイロード部分からなる。ペイロード部分には映像ＰＥＳ２６及び音声ＰＥＳ２７が分割されて格納される。ここで、映像ＰＥＳ２６は、ＰＥＳheader２２、ペイロード２３，２４、又、音声ＰＥＳ２７は、ＰＥＳheader２２、ペイロード２３，２４を有している。
【００１４】
又、同様に、図３にＴＳheader２１の構成を示す。ＴＳheader２１は、sync byte３１、ＰＩＤ３２と、adaptation field control３３と、adaptation field control３４とを有している。又、このadaptation field control３４は、更に、adaptation field length３５と、ＰＣＲ＿flag３６と、ＰＣＲ（Program Clock Reference）３７とを有している。
【００１５】
次に、図４にＰＥＳ（Packetized Elementary Stream）の構造を示す。映像ＰＥＳ及び音声ＰＥＳ共にＰＥＳの構造は同じである。ＰＥＳ４１はＰＥＳヘッダ２２と呼ばれるヘッダ部分とＰＥＳ packet data byte４７と呼ばれるペイロード本体からなる。ペイロードとは、映像又は音声を圧縮符号化したデータそのものである。
【００１６】
更に、ＰＥＳヘッダ２２は、packet start code prefix４２、stream id４３、PES packet header length４４、pts_dts flags４５、ＰＴＳ／ＤＴＳ４６を含んでいる。
【００１７】
＜本発明の一実施形態に係るＴＳパケット再生装置の動作の一例＞
次に、図５乃至図７の説明図及び図８乃至図１１のフローチャートを用いて、本発明の一実施形態であるＴＳパケット再生装置の動作の一例を説明する。図５は、本発明の一実施形態に係るＴＳパケット再生部によるＰＥＳを含むＴＳパケットの処理の一例を説明する説明図である。図６及び図７は、同じくＰＥＳを含むＴＳパケットの処理の一例を説明する説明図である。
【００１８】
なお、以下の図８乃至図１１のフローチャートの各ステップは、回路ブロックに置き換えることができ、従って、各フローチャートのステップは、全てブロックに定義しなおすことが可能である。
【００１９】
（不具合）
初めに、ＴＳパケット再生装置の再生処理において、再生が中断してしまう不具合について説明する。すなわち、図５及び図６に示すように、ＴＳパケットがＰＥＳの先頭を含み、ＰＥＳヘッダの長さが誤りにより異常値になる場合である。異常値になると、分離すべきペイロードがどこからなのか判別できない。
【００２０】
これに対して、ＴＳパケット誤りを検出した時点でパケットごと破棄する方法があるが、誤りのないデータ部分、図５の正常データであるペイロード２４が含まれていれば、この正常な情報は再生されずに失われてしまうため、できればデコーダに転送したい。しかし、以下説明するようにこのデータの検出は容易でない。
【００２１】
すなわち、ビデオペイロード分離部３では、ＰＥＳを含む場合、ＰＴＳ（Presentation Time Stamp）等のシステム情報を取得した後、ＰＥＳのペイロードを分離する。ＰＥＳヘッダの長さはＰＥＳヘッダ自体に記述されており（ＰＥＳ_header_data_length）、ヘッダの終了地点以降がビデオデコーダに渡されるペイロードとして分離される。
【００２２】
このとき、ＰＥＳヘッダ長の誤り検出を行なう。まず、図５に示すように、復号したヘッダ長がＴＳパケット長（＝１８４byte、ＴＳヘッダ除く）を超えている場合は、確実に誤りだと分かるが、どこまでがヘッダなのか判断するすべがないためパケットごと破棄する他ない。また、図６に示すように、ＴＳパケット長を超えない程度に誤りで大きくなっている場合は、検出は困難であり、分離したデータの先頭は本来のペイロードの途中からになってしまうため、ビデオデコーダは正常にデータを復号できない。いずれの場合も、正常なデータを取得できないのみならず、分離データが不連続になることによりデコーダがシンタックスの誤解釈を起こすために、例えば、数秒乃至５秒程度の映像再生の中断等の重大な画質劣化が生じてしまう。
【００２３】
（第１実施形態：ＴＳパケット末尾からペイロード先頭を検出し分離する（図８））
第１実施形態は、課題を解決する方法とし、『ＰＥＳを含むＴＳパケットに誤りを検出したとき（ＴＳヘッダのtransport_error_indicatorがオン）、ＴＳパケット末尾から逆方向にビデオペイロードをサーチしてStartCodeを見つけ、StartCode以降のペイロードを利用する方法』を提供する。図８は、本発明の一実施形態に係るＴＳパケット再生部によるＰＥＳを含むＴＳパケットの処理の一例を説明するフローチャートである。
【００２４】
本発明の一実施形態であるＴＳパケット再生装置１１は、図８のフローチャートに示すように、初めに、ＴＳヘッダ解析部１は、受信したトランスポートストリーム中のＴＳヘッダを監視する（ステップＳ１１）。ＴＳヘッダ解析部１がＴＳヘッダ２１を検出すると、次にＰＥＳヘッダ解析部２が、ＰＥＳヘッダ２２を監視する（ステップＳ１２）。ＰＥＳヘッダ解析部２がＰＥＳヘッダ２２を検出したら、次に、ＴＳパケット逆探索部７が、ＴＳヘッダ２１中の誤りフラグがオンかどうかを判断する（ステップＳ１３）。
【００２５】
ＴＳパケット逆探索部７が、ＴＳヘッダ２１中の誤りフラグがオンであることを検出すると、ＴＳパケット逆探索部７は、ＴＳパケット末尾からスタートコード２５を探索する（ステップＳ１４）。そして、ビデオペイロード分離部３は、ＴＳパケット逆探索部７が探索したスタートコード２５以降のペイロードをＴＳパケット２０から分離してビデオペイロード記憶部４で記憶する（ステップＳ１６）。その後、ビデオペイロード記憶部４は、分離したペイロードをオーディオビデオデコーダ部６に供給する（ステップＳ１７）。
【００２６】
一方、ステップＳ１３にて、ＴＳパケット逆探索部７が、ＴＳパケット誤りフラグがオフであると判断すると、ビデオペイロード分離部３は、ＰＥＳ情報とペイロードを分離してビデオペイロード記憶部４に記憶する（ステップＳ１８）。その後、ビデオペイロード記憶部４は、ＰＥＳ情報及び分離したペイロードをオーディオビデオデコーダ部６に供給する（ステップＳ１９）。
【００２７】
このような方法をとることで、パケットヘッダ長が誤りで大きくなり、当該パケットに含まれる正常なペイロードを破棄する他ない状況においても、残ったペイロードの開始部分を検出し分離してデコーダに供給することで、映像の再生の中断を回避することができ、データ不連続に起因する画質劣化を抑制しデコーダの再生品質を高めることができる。
【００２８】
（第２実施形態：ＰＥＳヘッダ終了位置とスタートコードの比較処理（図９））
第２実施形態は、『ＴＳパケット末尾からのStartCode検索に加え、ＰＥＳヘッダ終了位置とスタートコードの比較により、ＰＥＳ情報の利用を判断する方法』を提供する。図９は、本発明の一実施形態に係るＴＳパケット再生部によるＰＥＳを含むＴＳパケットの処理の一例を説明するフローチャートである。
【００２９】
なお、図９のフローチャートが図８のフローチャートと共通しているステップＳ１１乃至ステップＳ１４及びステップＳ１８、ステップＳ１９については説明を省略し、相違部分だけを説明する。
【００３０】
すなわち、ＴＳパケット逆探索部７は、与えられたＴＳパケットのＰＥＳヘッダ終了位置ａとStartCodeの終了位置ｂを比較する。そして、ＴＳパケット逆探索部７は、図６のように、ＰＥＳヘッダ終了位置ａの方がＴＳパケット２０の後方にありと判断すれば（ステップＳ２１）、ＰＥＳヘッダを誤りと判定し、ＰＥＳ情報は破棄し、ビデオペイロード分離部３でStartCode以降のペイロードを分離し、ビデオペイロード記憶部４で記憶する（ステップＳ２２）。その後、ビデオペイロード記憶部４は、分離したペイロードをオーディオビデオデコーダ部６に供給する（ステップＳ２３）。
【００３１】
また、ＴＳパケット逆探索部７は、ＰＥＳヘッダ終了位置ａの方がＴＳパケット２０の前方にありと判断すれば、ＰＥＳヘッダを正常と判断し（ステップＳ２１）、ビデオペイロード分離部３は、ＰＥＳ情報とペイロードを分離してビデオペイロード記憶部４に記憶する（ステップＳ１８）。その後、ビデオペイロード記憶部４は、ＰＥＳ情報及び分離したペイロードをオーディオビデオデコーダ部６に供給する（ステップＳ１９）。
【００３２】
このように、ＴＳパケットのＰＥＳヘッダ終了位置ａとStartCodeの終了位置ｂを比較してＰＥＳ情報が正常かどうかを判断し、その後に利用することで、動作安定性を確保することができる。
【００３３】
（第３実施形態：次ＴＳパケットの誤りフラグオンの際にペイロード分離（図１０））
第３実施形態は、『ＴＳパケット末尾からのStartCode検索に加え、次ＴＳパケットの誤りフラグオンの際に第２のペイロードを分離して利用する方法』を提供する。図１０は、本発明の一実施形態に係るＴＳパケット再生部によるＰＥＳを含むＴＳパケットの処理の一例を説明するフローチャートである。
【００３４】
なお、図１０のフローチャートが図８のフローチャートと共通しているステップＳ１１乃至ステップＳ１９については説明を省略し、相違部分だけを説明する。
【００３５】
すなわち、ステップＳ２４において、ＴＳパケット逆探索部７は、ペイロードが跨る次のＴＳパケットに関して、このＴＳパケットの誤りフラグがオンで、更に次のＴＳパケットや次の次のＴＳパケットの誤りフラグがオンである場合、ペイロードが跨る次のＴＳパケットの第１のペイロードを破棄する。そして、ＴＳパケット逆探索部７は、第２のペイロード以降のペイロードを分離してビデオペイロード記憶部４に記憶する（ステップＳ２５）。その後、ビデオペイロード記憶部４は、分離したペイロードをオーディオビデオデコーダ部６に供給する（ステップＳ２６）。
【００３６】
すなわち、この場合、ビデオデータとしては二つ以上のＴＳパケットに跨って伝送されている。そこで、オーディオビデオデコーダ部６へのペイロード分離は当該ビデオペイロードの終端を含む次回以降のＴＳパケットを受信するまで保留し、終端を含むＴＳパケットを受信した段階で、ビデオペイロードが跨る全ＴＳパケットのtransport_error_indicatorをチェックする。
【００３７】
最初のパケットのtransport_error_indicatorのみが立っている場合、分離したビデオペイロードが誤りを含む可能性は低いため、分離してデコーダへ転送する。
【００３８】
しかし、ステップＳ２４で、ＴＳパケット逆探索部７は、すべてのＴＳパケットでtransport_error_indicatorが立っていると判断すると、分離したデータは誤りを含む可能性が大きいため、この場合はペイロードを破棄した上で、次のStartCodeを検出するまでデータを分離しないようにしてデータ不連続区間を削減する。また、ＴＳパケット逆探索部７は、以降のＴＳパケットでtransport_error_indicatorがオフであると判断すると、通常通りＴＳパケットをオーディオビデオデコーダ部６へ転送する（ステップＳ２７）。
【００３９】
これにより、次のＴＳパケットの誤りフラグに応じた適切な処理を行なうことで、映像表示の品質を向上させることができる。
【００４０】
（第４実施形態：次ＴＳパケットの誤りフラグオンの際にエラー報告（図１１））
第４実施形態は、『ＴＳパケット末尾からのStartCode検索に加え、次ＴＳパケットの誤りフラグオンの際にエラー情報をデコーダに供給する方法』を提供する。図１１は、本発明の一実施形態に係るＴＳパケット再生部によるＰＥＳを含むＴＳパケットの処理の一例を説明するフローチャートである。
【００４１】
なお、図１１のフローチャートが図８のフローチャートと共通しているステップＳ１１乃至ステップＳ１９については説明を省略し、相違部分だけを説明する。
【００４２】
すなわち、ステップＳ２４において、ＴＳパケット逆探索部７は、ペイロードが跨る次のＴＳパケットに関して、このＴＳパケットの誤りフラグがオンで、更に次のＴＳパケットや次の次のＴＳパケットの誤りフラグがオンである場合、ペイロードが跨る次のＴＳパケットについて、ペイロードは破棄することなく、更に、このＴＳパケットの誤りフラグに応じてエラー情報を生成してペイロードと共にオーディオビデオデコーダ部６に供給する（ステップＳ２３）。すなわち、エラー情報の処理は、オーディオビデオデコーダ部６に託されるものである。
【００４３】
これにより、オーディオビデオデコーダ部６では、次のＴＳパケットの誤りフラグに応じた適切な処理を行なうことができるため、映像表示の品質を向上させることができる。
【００４４】
（コンピュータプログラムに関して言及する）
なお、上述した実施形態においては、上述した図８乃至図１１のフローチャートが示す処理は、図１に示すＴＳヘッダ解析部１乃至ＴＳパケット逆探索部７等により行なわれる。しかし、このような構成によらなくとも、同様の処理をこれらの処理を記述したコンピュータプログラムとこのコンピュータプログラムを順次処理するＣＰＵにより実現することも好適である。
【００４５】
以上、上述したように、本発明の一実施形態に係るＴＳパケット再生装置によれば、パケットヘッダ長が誤りで大きくなり、当該パケットに含まれる正常なペイロードを破棄する他ない状況においても、ペイロードを取得しデコーダに分離することが可能となる。また、データの区切りを認識することで、データ不連続に起因する画質劣化を抑制しデコーダの再生品質を高めることが可能となる。
【００４６】
＜本発明の一実施形態に係るＴＳパケット再生装置が用いられる放送再生装置の構成及び動作の一例＞
又、上述したＴＳパケット再生装置の再生処理は、例えば、いわゆるワンセグテレビジョン再生機能を搭載した携帯電話装置（移動型通信装置）Ｍにおいても同等に実現するものである。以下、テレビジョン再生機能を搭載した携帯電話装置で使用される場合の例を図面を用いて詳細に説明する。図１２は、本発明の一実施形態に係る放送受信装置の一例の外観を示す外観図である。図１３は、本発明の一実施形態に係る放送受信装置の構成の一例を示すブロック図である。
【００４７】
（構成及び動作）
本発明の一実施形態である携帯電話装置を図１２及び図１３を用いて説明する。携帯電話装置（移動型通信装置）Ｍは、通信部２００と、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ２２３と、スピーカ２２４とを有している。
【００４８】
又、更に、携帯電話装置Ｍは、全体の動作を制御する制御部２３１と、チューナ部２３２と、複数のスイッチ等を有している操作部２３３と、操作情報や写真画像等を表示する表示部２３４と、動画コンテンツや番組予約情報等を記憶する記憶部２３５と、ＴＳパケット再生部１１と、メール処理部２３７とが制御部２３１に接続されている。又、ＴＳパケット再生部１１の出力は、それぞれ表示部２３４とスピーカ２２４とに接続されている。
【００４９】
又、変調・復調部２０８は、例えば直交復調部２８１と、Ａ／Ｄ変換部２８２と、信号復調部２８３と、復号化部２９２とからなり、更に、ボコーダ２２３からの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００５０】
この携帯電話装置Ｍはこのような構成において、受信処理について説明すると、基地局から送信されるフォワードリンク信号はアンテナ２０１で受信、デュプレクサ２０２で受信機側回路へ供給され、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００５１】
変調・復調部２０８は、例えば直交復調部２８１と、Ａ／Ｄ変換部２８２と、信号復調部２８３と、情報信号変調部２８４と、Ｄ／Ａ変換部２８５と、直交変調部２８６で構成される。
【００５２】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００５３】
この構成を有する携帯電話装置Ｍの受信処理について以下に説明すると、表示部２３４の操作情報の表示に応じて、ユーザの操作部２３３から与えられる操作情報に応じ、制御部２３１の動作制御に従って、以下のような動作が行われる。すなわち、直交復調部２８１で直交復調された信号は、Ａ／Ｄ変換部２８２でＡ／Ｄ変換され信号復調部２８３で情報信号復調され、更に復号化部２９２で復号されて音声としてスピーカ２２４に出力される。
【００５４】
又、更にこの携帯電話装置Ｍの送信処理について以下に説明すると、同様に、表示部２３４の操作情報の表示に応じて、ユーザの操作部２３３から与えられる操作情報に応じ、制御部２３１の動作制御に従って、以下のような動作が行われる。すなわち、移動局から送信されるリバースリンク信号はボコーダ２２３により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２でアンテナ２０１ヘ供給され、空間へ送信されるものである。
【００５５】
・放送視聴機能
このようないわゆる携帯電話装置においても、チューナ部２３２によるチューナ機能を搭載することで、操作部２３３からの操作信号に応じて、所望の放送番組を選局して供給されるトランスポートストリーム信号は、ＴＳパケット再生部１１を用いて図８のフローチャート等を用いて説明した方法により安定して再生され、映像及び音声を視聴することができる。
【００５６】
更に、記憶部２３５を有していることにより、単にチューナ部２３２によりテレビジョン放送を視聴するだけでなく、放送信号に応じた映像音声信号を記憶部２３５に録画することが可能となる。
【００５７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５８】
【図１】本発明の一実施形態に係るＴＳパケット再生部の構成の一例を示すブロック図。
【図２】本発明の一実施形態に係るＴＳパケット再生部が扱うトランスポートストリームの一例を示す説明図。
【図３】本発明の一実施形態に係るＴＳパケット再生部が扱うトランスポートストリームのトランスポートヘッダの一例を示す説明図。
【図４】本発明の一実施形態に係るＴＳパケット再生部が扱うトランスポートストリームのＰＥＳの一例を示す説明図。
【図５】本発明の一実施形態に係るＴＳパケット再生部によるＰＥＳを含むＴＳパケットの処理の一例を説明する説明図。
【図６】本発明の一実施形態に係るＴＳパケット再生部によるＰＥＳを含むＴＳパケットの処理の一例を説明する説明図。
【図７】本発明の一実施形態に係るＴＳパケット再生部によるＰＥＳを含むＴＳパケットの処理の一例を説明する説明図。
【図８】本発明の一実施形態に係るＴＳパケット再生部によるＰＥＳを含むＴＳパケットの処理の一例を説明するフローチャート。
【図９】本発明の一実施形態に係るＴＳパケット再生部によるＰＥＳを含むＴＳパケットの他の処理の一例を説明するフローチャート。
【図１０】本発明の一実施形態に係るＴＳパケット再生部によるＰＥＳを含むＴＳパケットの他の処理の一例を説明するフローチャート。
【図１１】本発明の一実施形態に係るＴＳパケット再生部によるＰＥＳを含むＴＳパケットの他の処理の一例を説明するフローチャート。
【図１２】本発明の一実施形態に係る放送受信装置の一例の外観を示す外観図。
【図１３】本発明の一実施形態に係る放送受信装置の構成の一例を示すブロック図。
【符号の説明】
【００５９】
１…ＴＳヘッダ解析部、２…ＰＥＳヘッダ解析部、３…ビデオペイロード分離部、４…ビデオペイロード記憶部、５…オーディオ処理部、６…オーディオビデオデコーダ部、７…ＴＳパケット逆探索部。
【図１】
0004327873.tif 000002
【図２】
0004327873.tif 000003
【図３】
0004327873.tif 000004
【図４】
0004327873.tif 000005
【図５】
0004327873.tif 000006
【図６】
0004327873.tif 000007
【図７】
0004327873.tif 000008
【図８】
0004327873.tif 000009
【図９】
0004327873.tif 000010
【図１０】
0004327873.tif 000011
【図１１】
0004327873.tif 000012
【図１２】
0004327873.tif 000013
【図１３】
0004327873.tif 000014